(57)【特許請求の範囲】
【請求項１】
トリップ電源として作用するトリップ用コンデンサと、リセット電源として作用するリセット用コンデンサと、前記トリップ用コンデンサに蓄積された電荷によって励磁されるトリップコイルと、前記リセット用コンデンサに蓄積された電荷によって励磁されるリセットコイルと、前記トリップコイルおよび前記リセットコイルを通電させる通電手段と、電源と負荷とを結ぶ電路に流れる電流の大小を監視する電流監視部を具備するコントローラと、を備えた過負荷継電器において、
前記コントローラは、
前記トリップ用コンデンサの劣化状態を診断するトリップ電源劣化診断部を備え、
前記トリップ電源劣化診断部が前記トリップ用コンデンサの劣化を判定したときに、前記トリップコイルを強制的に励磁することを特徴とする過負荷継電器。
【請求項２】
前記トリップコイルに対する強制励磁は、前記トリップ用コンデンサおよび前記リセット用コンデンサの双方を用いて行われることを特徴とする請求項１に記載の過負荷継電器。
【請求項３】
前記トリップ用コンデンサの劣化状態を表示する表示手段を備えたことを特徴とする請求項１に記載の過負荷継電器。
【請求項４】
前記トリップ電源劣化診断部は、前記トリップ用コンデンサの状態を、少なくとも正常状態、交換推奨状態および劣化状態の３つの状態区分に区分し、
前記表示手段は、前記３つの状態区分を弁別して表示することを特徴とする請求項３に記載の過負荷継電器。
【請求項５】
前記表示手段は、前記電流監視手段の監視結果の情報を表示することを特徴とする請求項４に記載の過負荷継電器。
【請求項６】
前記トリップ電源劣化診断部は、前記トリップ用コンデンサの状態を、少なくとも正常状態、交換推奨状態および劣化状態の３つの状態区分に区分し、
前記トリップ用コンデンサの状態区分が前記正常状態または前記交換推奨状態のときには、前記トリップ用コンデンサのみを用いて前記トリップコイルが励磁され、前記トリップ用コンデンサの状態区分が前記劣化状態のときには、前記トリップ用コンデンサおよび前記リセット用コンデンサの双方を用いて前記トリップコイルが強制励磁されることを特徴とする請求項１に記載の過負荷継電器。
【請求項７】
前記トリップコイルおよび前記リセットコイルがトリップ・リセットコイルとして同一コイルで構成されるとき、
前記通電手段は、前記トリップ・リセットコイルがトリップコイルとして機能するときの電流通電方向と、前記トリップ・リセットコイルがリセットコイルとして機能するときの電流通電方向とが相互に逆向きとなるように接続配置されていることを特徴とする請求項１に記載の過負荷継電器。
【請求項８】
前記トリップ・リセットコイルに対する強制励磁は、前記トリップ用コンデンサおよび前記リセット用コンデンサの双方を用いて行われることを特徴とする請求項７に記載の過負荷継電器。
【請求項９】
トリップ電源として作用するトリップ用コンデンサの蓄積電荷によって励磁されるトリップコイルと、リセット電源として作用するリセット用コンデンサの蓄積電荷によって励磁されるリセットコイルと、が具備される過負荷継電器の動作方法において、
前記トリップ用コンデンサの劣化状態を診断し、該トリップ用コンデンサの劣化が検出されたときに、前記トリップコイルを強制的に励磁することを特徴とする過負荷継電器の動作方法。
【請求項１０】
前記トリップ用コンデンサの状態が、少なくとも正常状態、交換推奨状態および劣化状態の３つの状態区分に区分され、
前記トリップ用コンデンサの状態区分が正常状態または交換推奨状態のときには、前記トリップ用コンデンサのみを用いて前記トリップコイルが励磁され、前記トリップ用コンデンサの状態区分が劣化状態のときには、前記トリップ用コンデンサおよび前記リセット用コンデンサの双方を用いて前記トリップコイルが励磁されることを特徴とする請求項９に記載の過負荷継電器の動作方法。
【発明の詳細な説明】
【技術分野】
【０００１】
本発明は、過負荷継電器に関するものであり、特に、例えばＣＴ（Ｃｕｒｒｅｎｔ  Ｔｒａｎｓｆｏｒｍｅｒ）やホール素子などの電流検出手段によって負荷電流を検出し、動作電源を自身で供給する自己給電型の過負荷継電器およびその動作方法に関するものである。
【背景技術】
【０００２】
過負荷継電器は、過熱あるいは過度の電流によって生ずる損傷から電気機器（例えば電動機など、以下「負荷」という）を保護するための手段として、産業機械や産業設備の分野において、一般的に利用されている電気的スイッチである。この過負荷継電器は、電流検出機能を有さない電磁接触器と呼ばれる別の継電器と組み合わせた電磁開閉器として使用されるのが一般的であり、この電磁開閉器を電源と負荷とを結ぶ電路に挿入するようしにて保護対象である負荷を保護している。すなわち、過負荷状態が過負荷継電器によって検出されると、過負荷継電器に具備されるコイル（トリップコイル）が通電され、通電されたトリップコイルの励磁作用によって過負荷継電器内の接点部が開成状態となり、その接点部と直列接続されている電磁接触器のコイルへの励磁が解かれることにより電磁接触器の接点が作動して開成状態となり、その結果、負荷への電源供給が遮断されて負荷に対する損傷が防止される。【０００３】
過負荷継電器には、バイメタル素子や抵抗性ヒータを有する熱動形の過負荷継電器や、ＣＴやホール素子などの電流検出手段が検出した負荷電流に基づいてマイコンなどの制御機器がスイッチ制御を行う電子式の過負荷継電器などがある。特に、後者の電子式の過負荷継電器は、低電力性を有し、制御の容易性に優れた過負荷継電器として注目され、また、その製品も数多く存在する。【０００４】
ところで、従来の典型的な熱動形の過負荷継電器や電子式の過負荷継電器では、電磁開閉器がオープンになると自身への電力供給も絶たれるので、その復旧動作は手動に頼らざるを得なかった。なお、別電源によって過負荷継電器を駆動するタイプの製品も存在するが、このような製品を使用する場合には、負荷を駆動する電源系統に加えて別系統の電源を準備しなければならず、設備コストの増加に繋がるので、特殊な用途以外には使用されることはなかった。【０００５】
一方、近時の産業設備では、多数の産業機械が稼働するとともに、その運転は自動化されており、トリップ動作した過負荷継電器の復旧のため、トリップ動作の都度、作業者が現場に赴いて復旧作業を行うことは、作業効率を著しく低下させることに繋がっていた。したがって、ユーザサイドからは、トリップ動作の所定時間経過後には自動的に復旧動作を行うような自己給電型のタイプのものが望まれていた。【０００６】
なお、自己給電型の過負荷継電器ではないものの、負荷の冷却や異常状態からの復旧が行われる前にリセット動作が行われるのを防止する技術を開示した文献として、例えば下記特許文献１などが存在する。この特許文献１では、例えば機械式の熱動形過負荷継電器において、手動リセットモードであってもヒータが冷却されるまではリセット棒が作用してもリセットされないという機能が具備されていることに着目し、この機能と同等の機能を電子式過負荷継電器において、実現するようにしている。【０００７】
【特許文献１】特開２００４−２２２０３号公報
【発明の開示】
【発明が解決しようとする課題】
【０００８】
しかしながら、自己給電型の過負荷継電器では、トリップ動作を行わせるための電源としてコンデンサを用いているので、そのトリップ動作はコンデンサの劣化の影響を必然的に受けることになる。特に、コンデンサの劣化が進行して、トリップ動作を行うことができない状態までに陥った場合には、保護対象の負荷が損傷し、最悪の場合には負荷や他の機器の火災にも繋がるといった懸念も生じていた。自己給電型の電子式過負荷継電器が本格的に普及していない理由もここにあるといっても過言ではなかった。【０００９】
本発明は、上記に鑑みてなされたものであって、自己給電型の電子式過負荷継電器において、トリップ動作を確実に行わせることができ、また、過負荷継電器に接続される保護対象の負荷を確実かつ安全に停止することができる過負荷継電器およびその動作方法を提供することを目的とする。
【課題を解決するための手段】
【００１０】
上述した課題を解決し、目的を達成するため、本発明にかかる過負荷継電器は、トリップ電源として作用するトリップ用コンデンサと、リセット電源として作用するリセット用コンデンサと、前記トリップ用コンデンサに蓄積された電荷によって励磁されるトリップコイルと、前記リセット用コンデンサに蓄積された電荷によって励磁されるリセットコイルと、前記トリップコイルおよび前記リセットコイルを通電させる通電手段と、電源と負荷とを結ぶ電路に流れる電流の大小を監視する電流監視部を具備するコントローラと、を備えた過負荷継電器において、前記コントローラは、前記トリップ用コンデンサの劣化状態を診断するトリップ電源劣化診断部を備え、前記トリップ電源劣化診断部が前記トリップ用コンデンサの劣化を判定したときに、前記トリップコイルを強制的に励磁することを特徴とする。
【発明の効果】
【００１１】
本発明にかかる過負荷継電器によれば、トリップ電源劣化診断部がトリップ用コンデンサの劣化を判定したときに、トリップコイルを強制的に励磁するようにしているので、トリップ動作を確実に行わせることができ、過負荷継電器に接続される保護対象の負荷を確実かつ安全に停止することができるという効果が得られる。
【図面の簡単な説明】
【００１２】
【図１】図１は、本発明の実施の形態１にかかる過負荷継電器の構成を示す図である。
【図２】図２は、コンデンサの状態区分をコンデンサ容量の劣化曲線上に示した図である。
【図３−１】図３−１は、過負荷継電器の表示制御にかかる制御フローを示すフローチャートである。
【図３−２】図３−２は、コンデンサの劣化診断に基づく強制トリップの動作フローを示すフローチャートである。
【図４】図４は、本発明の実施の形態２にかかる過負荷継電器の構成を示す図である。
【符号の説明】
【００１３】
１０  コントローラ
１１  トリップ電源劣化診断部
１２  表示制御部
１３  トリップ動作部
１４  リセット動作部
１５  電流監視部
１６  トリップ判定部
２１，３１  コンデンサ
２２  トリップコイル
２３，３３，３４，４３，５２，５３  スイッチング素子
３２  リセットコイル
４０  表示部
４１  抵抗素子
４２  ＬＥＤ
５１  トリップ・リセットコイル
【発明を実施するための最良の形態】
【００１４】
以下に、本発明にかかる過負荷継電器の好適な実施の形態およびその動作方法を図面に基づいて詳細に説明する。なお、以下の実施の形態により本発明が限定されるものではない。【００１５】
実施の形態１．
図１は、本発明の実施の形態１にかかる過負荷継電器の構成を示す図である。同図に示す過負荷継電器には、過負荷継電器に内蔵され、過負荷継電器全体の動作を統括するコントローラ１０が具備されるとともに、コントローラ１０の制御対象として、コンデンサ２１，３１、トリップコイル２２、リセットコイル３２、スイッチング素子２３，３３，３４，４３、抵抗素子４１および発光ダイオード（以下「ＬＥＤ」という）４２の各素子が具備されている。なお、コンデンサ２１はトリップコイル２２を動作させるためのトリップ電源として作用し、同様に、コンデンサ３１はリセットコイル３２を動作させるためのリセット電源として作用する。また、抵抗素子４１、ＬＥＤ４２およびスイッチング素子４３の直列回路は、後述するようなコンデンサ２１の劣化状況を表示する表示部４０として機能する。【００１６】
また、図１に示すように、コントローラ１０は、トリップ電源劣化診断部１１、表示制御部１２、トリップ動作部１３、リセット動作部１４、電流監視部１５およびトリップ判定部１６の各構成部を備えている。【００１７】
つぎに、図１に示した過負荷継電器を構成する各素子およびこれらの各素子とコントローラ１０の各機能部との接続構成について説明する。図１において、トリップ電源を構成するコンデンサ２１の一端は、トリップコイル２２および表示部４０の各一端に接続され、表示部４０の他端は接地される。トリップコイル２２の他端は、例えばＮ型ＦＥＴであるスイッチング素子２３のドレインに接続され、スイッチング素子２３のソースは接地される。【００１８】
一方、リセット電源を構成するコンデンサ３１の一端は、リセットコイル３２の一端と、例えばＰ型ＦＥＴであるスイッチング素子３４のソースに接続され、スイッチング素子３４のドレインはトリップコイル２２の一端に接続される。リセットコイル３２の他端は、例えばＮ型ＦＥＴであるスイッチング素子３３のドレインに接続され、スイッチング素子３３のソースは接地される。【００１９】
また、コントローラ１０との接続はつぎのとおりである。トリップ電源劣化診断部１１はコンデンサ２１の一端に接続され、表示制御部１２はスイッチング素子４３のゲートに接続され、トリップ動作部１３はスイッチング素子２３，３４の各ゲートに接続され、リセット動作部１４はスイッチング素子３３のゲートに接続される。【００２０】
なお、図１に示す構成は、その一例を示すものであり、本発明の趣旨を逸脱しない範囲おいて、種々の変更が可能である。例えば、図１に示す構成では、スイッチング素子２３，３３，４３をローサイド（低電位側（図１の構成では接地側））に配置するようにしているが、これらのスイッチング素子をハイサイド（高電位側）に配置するようにしてもよい。また、各スイッチングにおいて、例えば、図１に示す構成では、スイッチング素子２３，３３，４３はＮ型ＦＥＴを使用し、スイッチング素子３４はＰ型ＦＥＴを使用しているが、それぞれのタイプは任意である。ただし、過負荷継電器を簡易に構成する観点から、各スイッチング素子を配置する位置等に応じて好適なタイプのものを選定することが好ましいことは勿論である。【００２１】
つぎに、図１に示した過負荷継電器の動作について説明する。図１において、電流監視部１５は、例えばＣＴやホール素子などの電流検出手段（図示省略）が検出した電流を監視する。トリップ判定部１６は、電流監視部１５の監視結果に基づいて過電流や欠相状態を判定する。トリップ判定部１６が過電流や欠相状態が生じていると判定した場合には、トリップ動作部１３はスイッチング素子２３をオン制御してトリップコイル２２を通電させる。トリップコイル２２の通電には、トリップ電源として作用するコンデンサ２１に蓄積された電荷が用いられる。一方、過電流や欠相状態が解消している場合には、リセット動作部１４はスイッチング素子３３をオン制御してリセットコイル３２を通電させる。リセットコイル３２の通電には、リセット電源として作用するコンデンサ３１に蓄積された電荷が用いられる。【００２２】
また、この実施の形態にかかる過負荷継電器では、上記の制御態様に加えて、以下の２つの制御態様が付加される。【００２３】
まず、新たに付加される第１の制御態様（強制トリップ）はつぎのとおりである。トリップ電源劣化診断部１１は、トリップ電源として作用するコンデンサ２１の一端の電圧を検出し、コンデンサ２１の劣化状態を診断する。なお、劣化状態の診断には、例えばコンデンサを定期的に放電させたときの放電時間と電圧差との関係を利用するような従来手法を用いて行えばよい。トリップ動作部１３は、トリップ電源劣化診断部１１の診断結果に応じてスイッチング素子２３をオン制御した上で、さらにスイッチング素子３４をもオン制御する。この制御では、トリップコイル２２の通電に、コンデンサ２１とコンデンサ３１の双方に蓄積された電荷が使用されるので、コンデンサ２１の劣化が進行して蓄積される電荷量が低下した場合であっても、トリップコイル２２を動作させることができる。なお、スイッチング素子３４を併せてオン制御する処理の詳細については後述する。【００２４】
また、新たに付加される第２の制御態様（表示制御）はつぎのとおりである。トリップ電源劣化診断部１１の診断結果は記憶される。表示制御部１２は、トリップ電源劣化診断部１１が行った前回の診断結果に基づいてスイッチング素子４３に対するオン制御の間隔を変更する。このような制御を行えば、ＬＥＤ４２の発光間隔を可変することができるので、コンデンサの劣化状態の情報をＬＥＤ４２を通じてユーザに伝達することが可能となる。なお、この表示制御の詳細についても後述する。【００２５】
図２は、コンデンサの状態区分をコンデンサ容量の劣化曲線上に示した図である。図２において、実線Ｋ１は、コンデンサの使用期間に対する容量の劣化を示す劣化曲線であり、破線Ｍ１はトリップコイルを駆動することが不可能となる容量の境界を示すトリップ限界線である。また、破線Ｍ１と劣化曲線Ｋ１との交点を通り、この破線Ｍ１に直交する破線Ｍ２は、コンデンサの使用可能期間の境界を示す使用限界線である。コンデンサは、寿命品であるため、劣化曲線Ｋ１のように、使用期間とともに容量の低下が進行し、蓄積電荷量が減少する。もし、使用期間が使用限界線Ｍ２で規定される使用限界を超えた場合には、コンデンサ容量がトリップ限界線Ｍ１で規定される限界値以下に達し、トリップコイルを駆動することが不可能となる。したがって、過負荷継電器を確実に動作させるためには、コンデンサの劣化を的確かつ定期的に診断することが必要になる。【００２６】
ところで、図２に示す劣化曲線Ｋ１は、コンデンサ容量の一般的（あるいは理想的）な劣化特性を示すものであり、実際に使用しているコンデンサが、この劣化曲線Ｋ１に一致する保証はない。そこで、この実施の形態では、使用限界線Ｍ２の内側（原点側）に使用限界線Ｍ２に平行な境界線Ｌ１，Ｌ２を設けるとともに、境界線Ｌ１，Ｌ２にて分割される以下の３つの区間Ａ，Ｂ，Ｃ（図２参照）を定義して、過負荷継電器を確実に動作させるためのマージンを確保している。
（１）区間Ａ：正常範囲（正常状態）
（２）区間Ｂ：交換推奨範囲（交換推奨状態）
（３）区間Ｃ：劣化範囲（劣化状態）【００２７】
つぎに、本発明を特徴づける動作について図１〜図３−２の各図を参照して説明する。なお、図３−１は、過負荷継電器の表示制御にかかる制御フローを示すフローチャートであり、図３−２は、コンデンサの劣化診断に基づく強制トリップの動作フローを示すフローチャートであり、図３−１の制御フローに引き続いて行われる。【００２８】
動作の前提として、上述のように、コンデンサ２１の劣化状態はトリップ電源劣化診断部１１によって診断され、その診断結果は図示しないメモリ等に記憶されている。表示制御部１２は、コンデンサ容量にかかる前回の診断結果が区間Ａの範囲であったか否かを判定する（ステップＳ１０１）。前回の診断結果が区間Ａの範囲にあった場合には（ステップＳ１０１，Ｙｅｓ）、スイッチング素子４３を制御してＬＥＤ４２を第１の表示間隔（例えば３秒に１回の表示）で点滅表示させる（ステップＳ１０２）。一方、前回の診断結果が区間Ａの範囲になかった場合には（ステップＳ１０１，Ｎｏ）、さらにコンデンサ容量にかかる前回の診断結果が区間Ｂの範囲であったか否かを判定する（ステップＳ１０３）。前回の診断結果が区間Ｂの範囲にあった場合には（ステップＳ１０３，Ｙｅｓ）、スイッチング素子４３を制御してＬＥＤ４２を第２の表示間隔（例えば２秒に１回の表示）で点滅表示させるが（ステップＳ１０４）、前回の診断結果が区間Ｂの範囲になかった場合（すなわち前回の診断結果が区間Ｃの範囲にあった場合）には（ステップＳ１０３，Ｎｏ）、スイッチング素子４３を制御してＬＥＤ４２を第３の表示間隔（例えば１秒に１回の表示）で点滅表示させる（ステップＳ１０４）。【００２９】
上記、ステップＳ１０１〜Ｓ１０５の表示制御の処理により、ユーザはコンデンサのトリップ電源として使用するコンデンサの劣化状況を知ることができ、事前交換などの保全行為を行うことができる。また、過負荷継電器を再起動したとき、既にコンデンサは劣化状態にあるため、再起動後の最初の診断においてコンデンサの劣化が判定されるので、直前に起こったトリップがコンデンサの異常によるトリップなのか、負荷の異常によるトリップなのかを判別することが可能となる。例えば、上記の例において、再起動したときに、ＬＥＤ４２が第１の表示間隔（３秒に１回）または第２の表示間隔（２秒に１回）で点滅表示していたならば、コンデンサの劣化ではなく負荷異常によってトリップ動作が引き起こされたと判定することができる。【００３０】
さて、上記ステップＳ１０１〜Ｓ１０５の表示制御の処理に引き続き、図３−２に示した処理が実行される。まず、トリップ電源劣化診断部１１は、コンデンサ２１の劣化状態を診断する。この診断結果において、コンデンサ容量（例えば電圧差／放電時間を評価指標とする）が区間Ａの範囲にあるか否かが判定される（ステップＳ１０６）。コンデンサ容量が区間Ａの範囲にある場合には（ステップＳ１０６，Ｙｅｓ）、区間Ａの範囲にあることを記憶する（ステップＳ１０７）。一方、コンデンサ容量が区間Ａの範囲にない場合には（ステップＳ１０６，Ｎｏ）、コンデンサ容量が区間Ｂの範囲にあるか否かが判定される（ステップＳ１０８）。コンデンサ容量が区間Ｂの範囲にある場合には（ステップＳ１０８，Ｙｅｓ）、区間Ｂの範囲にあることを記憶するが（ステップＳ１０９）、コンデンサ容量が区間Ｂの範囲にない場合には（ステップＳ１０８，Ｎｏ）、コンデンサ容量が区間Ｃの範囲にあることを記憶する（ステップＳ１１０）。つづいて、上記の判定処理で判定されて記憶された判定結果に基づき、コンデンサ容量が区間Ｃの範囲であったか否かが判定される（ステップＳ１１１）。コンデンサ容量が区間Ｃの範囲にあった場合には、トリップコイル２２を強制トリップさせる制御を行う。なお、強制トリップでは、上述のように、トリップ電源であるコンデンサ２１に加えて、リセット電源であるコンデンサ３１をも使用して、トリップコイル２２を通電する制御を行う。【００３１】
上記、ステップＳ１０６〜Ｓ１１２の強制トリップ制御により、寿命品であるコンデンサの劣化が原因でトリップ動作が不可能となる状態を回避することができ、過負荷継電器に接続される保護対象の負荷の焼損等の重大事故を防止することができる。また、コンデンサの劣化が進行してトリップ用コンデンサのみでは強制トリップが不可能な状態に陥っても、トリップ用コンデンサに加えてリセット用コンデンサも使用してトリップ制御を行うようにしているので、トリップ動作に必要なエネルギーが補填され、保護対象の負荷を確実かつ安全に停止することができる。【００３２】
なお、この実施の形態の過負荷継電器では、抵抗素子４１、ＬＥＤ４２およびスイッチング素子４３を備えた表示部４０によってコンデンサの劣化状態の情報を表示するようにしているが、この表示機能を利用し、例えば電流監視部１５が監視した監視結果をＬＥＤ４２に表示することもできる。例えばＬＥＤ４２による幾つかの点滅パターンを用意すれば、コンデンサの劣化状態に加えて、電流監視部１５が監視した負荷の過電流や欠相状態の監視結果も併せて表示することができる。【００３３】
実施の形態２．
図４は、本発明の実施の形態２にかかる過負荷継電器の構成を示す図である。図１に示した実施の形態１にかかる過負荷継電器では、トリップコイル２２とリセットコイル３２とを個々に備えるように構成していたが、図４に示す構成では、トリップコイルとリセットコイルとを一つのコイルで共用したトリップ・リセットコイル５１を備えるように構成したことを特徴とする。【００３４】
上記の構成に付随して、リセットコイル３２の他端に接続されていたスイッチング素子３３のドレインはトリップ・リセットコイル５１の一端に接続され、トリップコイル２２の他端に接続されていたスイッチング素子２３のドレインはトリップ・リセットコイル５１の他端に接続される。また、新たなスイッチング素子５２，５３が付加され、スイッチング素子５２のソースはコンデンサ２１（トリップ電源）の一端に接続され、ドレインはトリップ・リセットコイル５１の一端に接続されるとともに、スイッチング素子５３のソースはコンデンサ３１（リセット電源）の一端に接続され、ドレインはトリップ・リセットコイル５１の他端に接続される。さらに、スイッチング素子５２のゲートはトリップ動作部１３の制御を受けるために、スイッチング素子２３と同様にトリップ動作部１３に接続され、スイッチング素子５３のゲートはリセット動作部１４の制御を受けるために、スイッチング素子３３と同様にリセット動作部１４に接続される。なお、その他の構成は、図１に示した実施の形態１と同一または同等であり、それらの構成部には同一符号を付して示し、その説明を省略する。【００３５】
なお、図４に示す構成では、例えば新たに付加したスイッチング素子５２，５３をハイサイド（高電位側）に配置するとともに、そのタイプとしてＰ型ＦＥＴを使用するようにしているが、それぞれの配置やタイプとして任意のものを使用することができる。ただし、実施の形態１と同様に、過負荷継電器を簡易に構成する観点を考慮して、各スイッチング素子を配置する位置等に応じて好適なタイプのものを選定することが好ましいことは勿論である。【００３６】
つぎに、図４に示す過負荷継電器の動作について説明する。なお、基本的な動作は図１に示した過負荷継電器と同様であり、ポイントとなる動作についてのみ説明する。【００３７】
図４において、トリップ動作部１３は、通常のトリップ動作時には、トリップ判定部１６の判定結果に基づき、スイッチング素子２３およびスイッチング素子５２をオン制御してトリップ・リセットコイル５１を通電させる。一方、トリップ動作部１３は、強制トリップ動作時には、トリップ電源劣化診断部１１の診断結果に基づき、スイッチング素子２３およびスイッチング素子５２をオン制御するとともに、さらにスイッチング素子３４をオン制御する。なお、この制御によって、トリップ・リセットコイル５１の通電に、コンデンサ２１とコンデンサ３１の双方に蓄積された電荷が使用されることは、実施の形態１と同様であり、実施の形態１同様な効果が得られる。【００３８】
また、図４において、リセット動作部１４は、トリップ判定部１６の判定結果に基づき、スイッチング素子３３およびスイッチング素子５３をオン制御してトリップ・リセットコイル５１を通電させる。なお、図４の構成では、トリップ動作（強制トリップ動作を含む）時にトリップ・リセットコイル５１に流れる電流とリセット動作時にトリップ・リセットコイル５１に流れる電流の向きが逆向きになるような回路構成としているので、トリップコイルとリセットコイルとの共用化を実現することができる。【００３９】
このように、実施の形態２にかかる過負荷継電器は、トリップコイルとリセットコイルとの共用化により、過負荷継電器の回路構成を簡易化することができ、信頼性の向上にも寄与することができる。
【産業上の利用可能性】
【００４０】
以上のように、本発明にかかる過負荷継電器およびその動作方法は、自己給電型の過負荷継電器に有用である。
【図１】
0004696065.tif 000002
【図２】
0004696065.tif 000003
【図３−１】
0004696065.tif 000004
【図３−２】
0004696065.tif 000005
【図４】
0004696065.tif 000006